(57)【要約】【課題】作業柵内に侵入しようとする第三者を確実に検出することができるマンコンベアの保守点検用侵入防止装置を提供する。【解決手段】複数の柱と、複数の柱を介して連結された複数の作業柵と、柱又は作業柵に設けられた振動感知センサと、柱に設けられ、作業柵がマンコンベアの機械室を囲む位置に配置された場合に、作業柵の側面と水平投影面上で離れた位置で機械室を囲むように物体検出用の光軸を配置させる光電装置と、を備えた。【選択図】図１
2011098825.tif 000002
【特許請求の範囲】
【請求項１】
複数の柱と、
前記複数の柱を介して連結された複数の作業柵と、
前記柱又は前記作業柵に設けられた振動感知センサと、
前記柱に設けられ、前記作業柵がマンコンベアの機械室を囲む位置に配置された場合に、前記作業柵の側面と水平投影面上で離れた位置で前記機械室を囲むように物体検出用の光軸を配置させる光電装置と、
を備えたことを特徴とするマンコンベアの保守点検用侵入防止装置。
【請求項２】
前記柱に内蔵されたリンク、
を備え、
前記光電装置は、前記柱に内蔵された状態で前記リンクに支持され、前記リンクの回転移動により引き出されて前記光軸を形成することを特徴とする請求項１記載のマンコンベアの保守点検用侵入防止装置。
【請求項３】
前記リンクは、中央部で前記柱に軸支され、
前記光電装置は、前記リンクの両端に支持され、前記リンクの回転移動により引き出されて前記作業柵の両側面側に前記光軸を形成することを特徴とする請求項２記載のマンコンベアの保守点検用侵入防止装置。
【請求項４】
前記柱に設けられ、前記振動感知センサによる振動感知時又は前記光電装置による物体検出時に警告音を発生させる警報装置、
を備えたことを特徴とする請求項１〜請求項３のいずれかに記載のマンコンベアの保守点検用侵入防止装置。
【請求項５】
前記柱に設けられ、前記振動感知センサによる振動感知時又は前記光電装置による物体検出時に警告メッセージを音声で発報するスピーカ装置、
を備えたことを特徴とする請求項１〜請求項４のいずれかに記載のマンコンベアの保守点検用侵入防止装置。
【請求項６】
前記柱に設けられ、前記振動感知センサによる振動感知時又は前記光電装置による物体検出時に点灯する警告ランプ、
を備えたことを特徴とする請求項１〜請求項５のいずれかに記載のマンコンベアの保守点検用侵入防止装置。
【請求項７】
前記柱の下部に軸支され、前記柱と直交する位置で前記柱を支持し、収納時に、前記柱の下部に対して回転され、前記柱と平行となる位置に配置される支持足、
を備えたことを特徴とする請求項１〜請求項６のいずれかに記載のマンコンベアの保守点検用侵入防止装置。
【請求項８】
前記複数の作業柵のうちの隣接した作業柵を連結した柱の外周面に回転自在に嵌合し、前記隣接した作業柵の一方を軸支した第１リングと、
前記第１リングと異なる位置で前記隣接した作業柵を連結した柱の外周面に回転自在に嵌合し、前記隣接した作業柵の他方を軸支した第２リングと、
を備え、
前記第１及び第２リングは、前記複数の作業柵が折り畳まれるときに、前記隣接した作業柵を連結した柱に対して互いに独立して回転することを特徴とする請求項１〜請求項７のいずれかに記載のマンコンベアの保守点検用侵入防止装置。
【発明の詳細な説明】
【技術分野】
【０００１】
この発明は、マンコンベアの保守点検用侵入防止装置に関するものである。
【背景技術】
【０００２】
従来のマンコンベアの保守点検用侵入防止装置では、機械室の点検時に、機械室の周りに作業柵を立てることで、機械室近傍を立ち入り禁止区域としている。これにより、作業者以外の第三者の侵入を防止する。しかし、作業柵を移動させれば、第三者でも簡単に立ち入り禁止区域に侵入でき、作業者が第三者に気付かずに作業を継続してしまうという問題があった。
【０００３】
そこで、バネとスイッチとを備えた作業柵の固定装置が提案されている。この固定装置を用いることにより、作業柵がずれると警報装置が作動し、作業者に知らせることができる（例えば、特許文献１参照）。
【先行技術文献】
【特許文献】
【０００４】
【特許文献１】特開平８−３４５８６号公報
【発明の概要】
【発明が解決しようとする課題】
【０００５】
しかし、特許文献１に記載のものでは、作業柵に触れずに作業柵を跨いで乗り越した第三者を検出することができなかった。
【０００６】
この発明は、上述のような課題を解決するためになされたもので、その目的は、作業柵６内に侵入しようとする第三者を確実に検出することができるマンコンベアの保守点検用侵入防止装置を提供することである。
【課題を解決するための手段】
【０００７】
この発明に係るマンコンベアの保守点検用侵入防止装置は、複数の柱と、前記複数の柱を介して連結された複数の作業柵と、前記柱又は前記作業柵に設けられた振動感知センサと、前記柱に設けられ、前記作業柵がマンコンベアの機械室を囲む位置に配置された場合に、前記作業柵の側面と水平投影面上で離れた位置で前記機械室を囲むように物体検出用の光軸を配置させる光電装置と、を備えたものである。
【発明の効果】
【０００８】
この発明によれば、作業柵内に侵入しようとする第三者を確実に検出することができる。
【図面の簡単な説明】
【０００９】
【図１】この発明の実施の形態１におけるマンコンベアの保守点検用侵入防止装置が機械室の周りに設置された状態を説明するための斜視図である。
【図２】この発明の実施の形態１におけるマンコンベアの保守点検用侵入防止装置に用いられた作業冊及び柱の分解斜視図である。
【図３】図２の作業冊及び柱を組み立てた後の斜視図である。
【図４】この発明の実施の形態１におけるマンコンベアの保守点検用侵入防止装置に用いられた柱上部の詳細図である。
【図５】図４をＡ方向から見た図である。
【図６】この発明の実施の形態におけるマンコンベアの保守点検用侵入防止装置に用いられた柱下部の詳細図である。
【図７】図６の柱下部の要部拡大図である。
【図８】図６をＢ方向から見た図である。
【図９】この発明の実施の形態１におけるマンコンベアの保守点検用侵入防止装置を折り畳んだ状態を説明するための斜視図である。
【図１０】この発明の実施の形態１におけるマンコンベアの保守点検用侵入防止装置を折り畳んだ状態を説明するための平面図である。
【図１１】図１０のＣ部詳細図である。
【図１２】この発明の実施の形態２におけるマンコンベアの保守点検用侵入防止装置が機械室の周りに設置された状態を説明するための斜視図である。
【図１３】この発明の実施の形態２におけるマンコンベアの保守点検用侵入防止装置に用いられた柱上部の斜視図である。
【図１４】この発明の実施の形態２におけるマンコンベアの保守点検用侵入防止装置に用いられた柱上部の正面図である。
【図１５】この発明の実施の形態２におけるマンコンベアの保守点検用侵入防止装置に用いられた柱上部の側面図である。
【発明を実施するための形態】
【００１０】
この発明を実施するための形態について添付の図面に従って説明する。なお、各図中、同一又は相当する部分には同一の符号を付しており、その重複説明は適宜に簡略化ないし省略する。
【００１１】
実施の形態１．
図１はこの発明の実施の形態１におけるマンコンベアの保守点検用侵入防止装置が機械室の周りに設置された状態を説明するための斜視図である。
図１において、１はマンコンベアである。マンコンベア１は、建築物の上下階に跨って設けられる。利用者は、マンコンベア１を利用して上下階間を移動することができる。２はマンコンベア１の機械室である。この機械室２は、マンコンベア１の上下部乗降口の下方に設けられる。図１では、下部乗降口側の機械室２が示される。機械室２の点検時には、機械室２の上方の床面が取り外される。これにより、作業者が機械室２内に入れるようになっている。
【００１２】
しかし、このままでは、作業者以外の第三者も機械室２に簡単に侵入することができてしまう。そこで、機械室２の点検時には、機械室２の周りに、保守点検用侵入防止装置を設置する。これにより、第三者の機械室２近傍への侵入を防止することができる。以下、本実施の形態の保守点検用侵入防止装置を説明する。
【００１３】
３は複数の第１柱である。４は複数の第２柱である。第１及び第２柱３、４は、機械室２の周りで所定間隔をあけて互い違いに配置される。また、第１及び第２柱３、４の下部には、支持足５が設けられる。これらの支持足５は、第１柱３又は第２柱４と直交するように配置され、第１柱３又は第２柱４を支持する。
【００１４】
６は複数の作業柵である。これらの作業柵６の両側縁部は、隣接した第１及び第２柱３、４に支持される。即ち、これらの作業柵６は、第１及び第２柱３、４を介して連結され、機械室２の開口部の周りを囲むように配置される。また、これらの作業冊６の外側面には、マンコンベア１の一般客に向けて注意表示７が記載されている。また、第１柱３には、振動感知センサ（図１においては図示せず）が設けられる。
【００１５】
さらに、第１柱３の上部には、光電装置８が設けられる。これらの光電装置８は、投光器と受光器とからなる。これらの光電装置８は、機械室２と作業柵６との間で、作業柵６の内側面と水平投影面上で離れた位置で機械室２を囲むように物体検出用の光軸９を配置させる。
【００１６】
次に、図２及び図３を用いて、第１柱３の構造を詳細に説明する。
図２はこの発明の実施の形態１におけるマンコンベアの保守点検用侵入防止装置に用いられた作業冊及び柱の分解斜視図である。図３は図２の作業冊及び柱を組み立てた後の斜視図である。
【００１７】
図２に示すように、隣接した作業柵６の一方の側縁部には、上下に切り欠き部１０が設けられる。これらの切り欠き部１０の上下面には、穴が設けられる。これらの穴には、ピン１１が支持される。これらのピン１１には、環状の第１リング１２が軸支される。これらの第１リング１２は、第１柱３のリング用溝１３の外周面に回転自在に嵌合する。
【００１８】
これに対し、隣接した作業柵６の他方の側縁部には、作業柵６の一方とは異なる高さに切り欠き部１４が設けられる。これらの切り欠き部１４の上下面には、穴が設けられる。これらの穴には、ピン１５が支持される。これらのピン１５には、環状の第２リング１６が軸支される。これらの第２リング１６は、第１リング１２の直上で第１柱３のリング用溝１３の外周面に回転自在に嵌合する。
【００１９】
また、第１柱３の頂部には、半球状の警告ランプ１７が設けられる。さらに、警告ランプ１７の直下では、第１柱３に貫通部が設けられる。この貫通部内は、リンク１８が内蔵される。このリンク１８の下部は、第１柱３に軸支される。そして、このリンク１８の上部に、光電装置８が固定される。加えて、第１柱３の下部には、支持足５がピン１９を介して軸支される。なお、第２柱４の下部に設けられた支持足５も同様の構成となっている。
【００２０】
図３に示すように、上方の第１リング１２の直下では、第１柱３に振動感知センサ２０が設けられる。この振動感知センサ２０の直下では、第１柱３にスピーカ装置２１が設けられる。このスピーカ装置２１の直下では、第１柱３に警報装置２２が設けられる。
【００２１】
ここで、第１柱３には、プラグ付電気コード（図示せず）が接続される。このプラグが、マンコンベア１のニュアル下部（移動手摺引き込み部）の電気ソケット（図示せず）に嵌合される。これにより、光電装置８、振動感知センサ２０、スピーカ装置２１、警報装置２２に電源が供給される。また、光電装置８、振動感知センサ２０、スピーカ装置２１、警報装置２２と制御盤とが接続される。
【００２２】
次に、図４及び図５を用いて、リンク１８の構造をより詳細に説明する
図４はこの発明の実施の形態１におけるマンコンベアの保守点検用侵入防止装置に用いられた柱上部の詳細図である。図５は図４をＡ方向から見た図である。
図４に示すように、リンク１８は、ピン２３を軸にして機械室２側へ回転する。これにより、リンク１８の先端部が、機械室２側へ引き出されるようになっている。
【００２３】
そして、図４及び図５に示すように、リンク１８の先端部両側面には、斜面部２４が形成される。これらの斜面部２４に、光電装置８が固定されている。これにより、光電装置８は、リンク１８側面側へ突出することなく第１柱３内に収納される。そして、光電装置８は、リンク１８の回転移動とともに、円滑に機械室２側へ引き出されるようになっている。
【００２４】
次に、図６〜図８を用いて、第１柱３下部の構造をより詳細に説明する。
図６はこの発明の実施の形態におけるマンコンベアの保守点検用侵入防止装置に用いられた柱下部の詳細図である。図７は図６の柱下部の要部拡大図である。図８は図６をＢ方向から見た図である。
【００２５】
図６に示すように、第１柱３の下部には、足収納用面取り２５が形成される。また、第１柱３の下部内部には、押さえバネ２６が配置される。この押さえバネ２６の下方には、円柱状の押圧体２７が設けられる。この押圧体２７の下面には、凹部２８が形成される。また、第１柱３の下部の一側部には、ネジ穴２９が設けられている。そして、このネジ穴２９に、蝶ボルト３０が水平方向からねじ込まれている。
【００２６】
また、支持足５の本体部は、平板状に形成される。この本体部の一面中央には、連結部が設けられる。この連結部の中央には、貫通穴が設けられている。この貫通穴には、ピン１９が挿入される。このピン１９を介して、支持足５は、連結部の貫通穴中心に回転するようになっている。さらに、図７にも示すように、支持足５の連結部には、本体部と反対側に凸部３１が設けられる。
【００２７】
かかる構成の第１柱３下部においては、支持足５の本体部が第１柱３と直交する位置に配置される場合は、支持足５の凸部３１が押圧体２７の凹部２８に嵌合する。このとき、押さえバネ２６が押圧体２７を下方に押圧している。このため、支持足５は、第１柱３と直交する位置に節度よく保持される。
【００２８】
なお、確実に支持足５の位置を保持したい場合は、蝶ボルト３０が押圧体２７へ向けて水平方向にねじ込まれる。これに対し、支持足５が第１柱３と平行になる位置に配置される場合は、図８に示すように、支持足５の本体部の一側が第１柱３の足収納用面取り２５内に収納される。これにより、支持足５は、水平投影上で第１柱３内に収まる構成となっている。
【００２９】
上記構成の保守点検用侵入防止装置においては、機械室２の保守点検時に、支持足５が第１柱３及び第２柱４と直交する位置に配置される。その後、第１及び第２リング１２、１６の回転を利用して、作業柵６が機械室２の周りを囲むように配置される。その後、リンク１８の回転移動により、光電装置８が作業柵６の内側面側に引き出される。これにより、作業柵６の内側面側に光軸９が形成される。
【００３０】
ここで、第三者が作業冊６に接触した場合、振動感知センサ２０が作業柵６の振動を感知する。かかる感知により、警報装置２２が警告音を発生させる。また、これと同時に、スピーカ装置２１が警告メッセージを音声で発報する。さらに、警告ランプ１７も点灯する。
【００３１】
また、第三者が作業冊６を跨いで作業柵６内に侵入しようとした場合は、光電装置８の光軸９が遮断される。この場合も、振動感知センサ２０での振動感知時と同様に、警報装置２２が警告音を発生させる。また、これと同時に、スピーカ装置２１が警告メッセージを音声で発報する。さらに、警告ランプ１７も点灯する。
【００３２】
次に、図９〜図１１を用いて、保守点検用侵入防止装置の収納方法を説明する。
図９はこの発明の実施の形態１におけるマンコンベアの保守点検用侵入防止装置を折り畳んだ状態を説明するための斜視図である。図１０はこの発明の実施の形態１におけるマンコンベアの保守点検用侵入防止装置を折り畳んだ状態を説明するための平面図である。図１１は図１０のＣ部詳細図である。
【００３３】
図９に示すように、支持足５は、第１柱３又は第２柱４と平行となる位置に配置される。そして、図１０に示すように、隣接した作業柵６は、側面同士を対向させて折り畳まれる。このとき、図１１に示すように、第１及び第２リング１２、１６は、第１柱３又は第２柱４に対して互いに独立して回転する。
【００３４】
かかる第１及び第２リング１２、１６の作用で、隣接した作業柵６の一方のピン１１位置と隣接した作業柵６の他方のピン１５位置とが、第１柱３又は第２柱４の外周面に沿って、互いに逃げた位置に移動する。このため、隣接した作業柵６は、滑らかに折り畳まれる。この状態で、折り畳まれた保守点検用侵入装置は、機械室２内に収納される。
【００３５】
以上で説明した実施の形態１によれば、光電装置８は、作業柵６がマンコンベア１の機械室２を囲む位置に配置された場合に、作業柵６の側面と水平投影面上で離れた位置で機械室２を囲むように光軸９を配置させる。ここで、作業柵６内に侵入しようとする第三者は、作業柵６と光軸９を同時に跨ぐことは非常に困難であり、作業柵６又は光軸９に接触する。このため、振動感知センサ２０又は光電装置８によって、作業柵６内に侵入しようとする第三者を確実に検出することができる。
【００３６】
また、光電装置８は、第１柱３に内蔵されたリンク１８に支持される。そして、光電装置８は、リンク１８の回転移動により引き出されて光軸９を形成する。即ち、収納時に光電装置８を第１柱３に内蔵することができる。このため、保守点検用侵入防止装置を大型化することなく、作業柵６内に侵入しようとする第三者を確実に検出することができる。
【００３７】
さらに、振動感知センサ２０による振動感知時又は光電装置８による物体検出時に、警報装置２２が警告音を発生させる。また、これと同時に、スピーカ装置２１が警告メッセージを音声で発報する。さらに、警告ランプ１７も点灯する。このため、酩酊者等、通常の感覚の状態でない人に対しても、危険であることを注意喚起することができる。また、作業者に対しても、作業柵６内に侵入した第三者の存在を認識させることができる。
【００３８】
加えて、支持足５は、第１柱３又は第２柱４の下部に軸支され、第１柱３又は第２柱４と直交する位置で第１柱３又は第２柱４を支持する。また、支持足５は、収納時に、第１柱３又は第２柱４と平行となる位置に配置される。このため、機械室２の保守点検時は、柱３が確実に支持されるとともに、保守点検用侵入防止装置をコンパクトに収納することができる。
【００３９】
また、第１及び第２リング１２、１６は、複数の作業柵６が折り畳まれるときに、第１柱３又は第２柱４に対して互いに独立して回転する。ここで、折り畳み構造としてヒンジを採用した場合は、作業柵６を折り畳み時に、ヒンジピンの位置を移動できない。このため、特定の柱の部分で作業柵６を適切に折り畳むことができても、特定の柱に隣接した柱の部分では、無理が出てかさばってしまう。これに対し、本実施の形態の折り畳み構造を採用した場合は、第１及び第２リング１２、１６が最適な位置に移動し、作業柵６をコンパクトに折り畳むことができる。
【００４０】
そして、光電装置８の第１柱３への内蔵、支持足５の折り畳み、作業柵６の折り畳みによって、保守点検用侵入防止装置の収納スペースを小さくすることができる。このため、機械室２の隅に保守点検用侵入防止装置を収納することができる。
【００４１】
実施の形態２．
図１２はこの発明の実施の形態２におけるマンコンベアの保守点検用侵入防止装置が機械室の周りに設置された状態を説明するための斜視図である。図１３はこの発明の実施の形態２におけるマンコンベアの保守点検用侵入防止装置に用いられた柱上部の斜視図である。図１４はこの発明の実施の形態２におけるマンコンベアの保守点検用侵入防止装置に用いられた柱上部の正面図である。図１５はこの発明の実施の形態２におけるマンコンベアの保守点検用侵入防止装置に用いられた柱上部の側面図である。なお、実施の形態１と同一又は相当部分には同一符号を付して説明を省略する。
【００４２】
実施の形態１においては、第１柱３のみに光電装置８が設けられていた。実施の形態２においては、図１２に示すように、全ての柱３２に光電装置３３が設けられている。また、光電装置３３は、作業柵６の両側面側に配置される。そして、光電装置３３は、作業柵６の内面側の光軸３４と作業柵６の外側面側の光軸３５とを形成する構成となっている。
【００４３】
具体的には、図１３〜図１５に示すように、柱３２上部にリンク３６が内蔵される。このリンク３６は、中央部で柱３２に軸支される。そして、このシーソー式のリンク３６の両端部両側面に斜面部３７が形成される。これらの斜面部３７に光電装置３３が設けられる。
【００４４】
かかる構成の諸種点検用侵入防止装置においては、機械室２の保守点検時に、作業柵６が機械室２を囲むように配置される。その後、リンク３６の回転移動により、光電装置３３が作業柵６の両側面側に引き出される。これにより、作業柵６の内面側に光軸３４が形成されるとともに、作業柵６の外側面側に光軸３５が形成される。
【００４５】
ここで、第三者が、作業柵６に接触したり、作業柵６を跨いで作業柵６内に侵入しようとした場合は、実施の形態１と同様の警告がなされる。さらに、本実施の形態の場合は、作業柵６に近づき過ぎた第三者をも、光軸３５の遮断により検出する。そして、この場合も、警報装置２２が警告音を発生させる。また、これと同時に、スピーカ装置２１が警告メッセージを音声で発報する。さらに、警告ランプ１７も点灯する。
【００４６】
以上で説明した実施の形態２によれば、光電装置３３は、リンク３６の両端に支持され、リンク３６の回転移動により引き出されて作業柵６の両側面側に光軸３４、３５を形成する。このため、実施の形態１の効果に加え、作業柵６に接近して機械室２内を覗き込もうとする第三者をも検出することができる。
【００４７】
なお、実施の形態１及び２においては、振動感知センサ２０は、第１柱３等に設けられていた。しかし、振動感知センサ２０を作業柵６に設けても、上記実施の形態と同様の効果を得ることができる。
【符号の説明】
【００４８】
１  マンコンベア、  ２  機械室、  ３  第１柱、  ４  第２柱、  ５  支持足、
６  作業柵、  ７  注意表示、  ８  光電装置、  ９  光軸、  １０  切り欠き部、
１１  ピン、  １２  第１リング、  １３  リング用溝、  １４  切り欠き部、
１５  ピン、  １６  第２リング、  １７  警告ランプ、  １８  リンク、  
１９  ピン、  ２０  振動感知センサ、  ２１  スピーカ装置、  ２２  警報装置、
２３  ピン、  ２４  斜面部、  ２５  足収納用面取り、  ２６  押さえバネ、
２７  押圧体、  ２８  凹部、  ２９  ネジ穴、  ３０  蝶ボルト、    ３１  凸部、
３２  柱、  ３３  光電装置、  ３４、３５  光軸、  ３６  リンク、  ３７  斜面部、
【図１】
2011098825.tif 000003
【図２】
2011098825.tif 000004
【図３】
2011098825.tif 000005
【図４】
2011098825.tif 000006
【図５】
2011098825.tif 000007
【図６】
2011098825.tif 000008
【図７】
2011098825.tif 000009
【図８】
2011098825.tif 000010
【図９】
2011098825.tif 000011
【図１０】
2011098825.tif 000012
【図１１】
2011098825.tif 000013
【図１２】
2011098825.tif 000014
【図１３】
2011098825.tif 000015
【図１４】
2011098825.tif 000016
【図１５】
2011098825.tif 000017